(57)【要約】【課題】いたずらによる締付部材の取り外しやパネルの持ち去りを防止する。【解決手段】壁面Ｗに固定される固定部材１とこれに結合される締付部材２とでパネルＰを挟み込むパネル取付具において、前記締付部材２は、パネルＰの前面側の前鍔部２１から壁面Ｗ側である後方へシャンク部２２が延びるものとされ、このシャンク部２２には、外周に後方から前方へかけて小径となるテーパー面３１を備えた移動部材３が結合され、固定部材１の周壁１１には、外周面から内部空間へ連通する横ねじ穴１４が形成された構成とする。固定部材１の内部空間に移動部材３を嵌め入れて、横ねじ穴１４に横ビス４２をねじ込むと、横ビス４２が移動部材３のテーパー面３１に当接しつつ螺進し、移動部材３が締付部材２と共に後方へ移動して、締付部材２の前鍔部２１と固定部材１の前面とでパネルＰが挟圧される。【選択図】図６
2014224901.tif 000002
【特許請求の範囲】
【請求項１】
壁面(W)に固定される固定部材(1)とこれに結合される締付部材(2)とを備え、パネル(P)を固定部材(1)と締付部材(2)との間に挟み込んで壁面(W)に取り付けるパネル取付具において、前記締付部材(2)は、パネル(P)の前面側の前鍔部(21)から壁面(W)側である後方へシャンク部(22)が延びるものとされ、このシャンク部(22)には、外周に後方から前方へかけて小径となるテーパー面(31)を備えた移動部材(3)が結合され、前記固定部材(1)の周壁(11)には、外周面から内部空間へ連通する横ねじ穴(14)が形成され、前記固定部材(1)の内部空間に移動部材(3)が嵌め入れられた状態で、固定部材(1)の横ねじ穴(14)に横ビス(42)をねじ込むと、横ビス(42)が移動部材(3)のテーパー面(31)に当接しつつ螺進し、移動部材(3)が締付部材(2)と共に後方へ移動して、締付部材(2)の前鍔部(21)と固定部材(1)の前面とでパネル(P)が挟圧されることを特徴とするパネル取付具。
【請求項２】
前記締付部材(2)のシャンク部(22)は、パネル(P)に穿設した貫通穴(h)に挿通されるねじ軸であり、前記移動部材(3)は、前後方向のねじ穴(32)を有し、前記締付部材(2)のシャンク部(22)が移動部材(3)のねじ穴(32)に螺合して、締付部材(2)と移動部材(3)とが結合されることを特徴とする請求項１に記載のパネル取付具。
【請求項３】
前記締付部材(2)のシャンク部(22)は、パネル(P)の縁部を支持する平坦な支持面(23)を備え、前記移動部材(3)は、前方へ向けて延びる結軸部(36)を有し、この結軸部(36)が締付部材(2)に螺合して、締付部材(2)と移動部材(3)とが結合されることを特徴とする請求項１に記載のパネル取付具。
【発明の詳細な説明】
【技術分野】
【０００１】
この発明は、店舗、事務所等のサインパネルや各種掲示パネルを壁面に取り付けるパネル取付具に関するものである。
【背景技術】
【０００２】
従来、この種のパネル取付具として、図１２及び図１３に示すように、壁面Ｗに固定される固定部材５１とこれに螺合する締付部材５２とを備え、パネルＰを固定部材５１と締付部材５２との間に挟み込んで壁面Ｗに取り付けるものが使用されている。
【０００３】
ここで、方向表記として、パネルＰの前面を見る視点側を前方とし、壁面Ｗ側を後方としたとき、固定部材５１には、前端面からねじ穴５３が形成され、締付部材５２は、摘み部５４から後方へねじ軸５５が延びるものとされている。なお、パネルＰとしては、２枚の透明板でその間にポスター等を挟み込むものを図示している。
【０００４】
このパネル取付具では、施工に際し、円盤状の取付座６１をタッピングねじ６２により壁面Ｗに固定し、取付座６１の外周の雄ねじに固定部材５１の内周の雌ねじを螺合させ、固定部材５１を壁面Ｗに固定する。
【０００５】
次に、パッキン５６を、摘み部５４とパネルＰの前面との間に挟んで、パネルＰに穿設した貫通穴ｈに締付部材５２のねじ軸５５を挿通し、さらに、パッキン５７を、固定部材５１の前端面とパネルＰの後面との間に挟んで、摘み部５４を捻りつつ、締付部材５２のねじ軸５５を固定部材５１のねじ穴５３にねじ込み、締付部材５２を締め付ける。
【０００６】
このようなパネル取付具は、一般的なものであり、例えば、下記特許文献１の段落［０００２］〜［０００６］及び図２３、図２４に記載されている。
【先行技術文献】
【特許文献】
【０００７】
【特許文献１】特許第３３６４１７９号公報
【発明の概要】
【発明が解決しようとする課題】
【０００８】
しかしながら、上記のようなパネル取付具により壁面にパネルを取り付けた場合、締付部材５２を手で簡単に緩めることができるので、いたずらにより、締付部材５２を固定部材５１から取り外して、パネルＰを持ち去られるおそれがある。
【０００９】
そこで、この発明は、いたずらによる締付部材の取り外しやパネルの持ち去りを防止することを課題とする。
【課題を解決するための手段】
【００１０】
上記課題を解決するため、この発明は、壁面に固定される固定部材とこれに結合される締付部材とを備え、パネルを固定部材と締付部材との間に挟み込んで壁面に取り付けるパネル取付具において、前記締付部材は、パネルの前面側の前鍔部から壁面側である後方へシャンク部が延びるものとされ、このシャンク部には、外周に後方から前方へかけて小径となるテーパー面を備えた移動部材が結合され、前記固定部材の周壁には、外周面から内部空間へ連通する横ねじ穴が形成され、前記固定部材の内部空間に移動部材が嵌め入れられた状態で、固定部材の横ねじ穴に横ビスをねじ込むと、横ビスが移動部材のテーパー面に当接しつつ螺進し、移動部材が締付部材と共に後方へ移動して、締付部材の前鍔部と固定部材の前面とでパネルが挟圧される構成を採用したのである。
【００１１】
また、このパネル取付具の具体的形態として、前記締付部材のシャンク部は、パネルに穿設した貫通穴に挿通されるねじ軸であり、前記移動部材は、前後方向のねじ穴を有し、前記締付部材のシャンク部が移動部材のねじ穴に螺合して、締付部材と移動部材とが結合される構成を採用したのである。
【００１２】
また、パネルに貫通穴を穿設せずにパネルを壁面に取り付けるため、前記締付部材及び移動部材の構成に代えて、前記締付部材のシャンク部は、パネルの縁部を支持する平坦な支持面を備え、前記移動部材は、前方へ向けて延びる結軸部を有し、この結軸部が締付部材に螺合して、締付部材と移動部材とが結合される構成を採用したのである。
【発明の効果】
【００１３】
この発明に係るパネル取付具では、壁面に固定部材を固定しておき、パネルに穿設した貫通穴に締付部材のシャンク部を挿通し、或いは、パネルの縁部に締付部材の支持面を沿わせて、締付部材のシャンク部と移動部材とを結合した状態で、固定部材の内部空間に移動部材を嵌め入れ、固定部材の横ねじ穴に横ビスをねじ込むだけで、パネルを壁面に容易に取り付けることができる。
【００１４】
そして、横ビスのねじ込みに伴い、パネルが締付部材の前鍔部と固定部材の前面とで強力に挟圧されるので、パネル取付状態において、締付部材を手で緩めて取り外したり、パネルを持ち去ったりするいたずらを防止することができる。
【図面の簡単な説明】
【００１５】
【図１】この発明の第１実施形態に係るパネル取付具による壁面へのパネル取付状態を示す全体斜視図
【図２】同上の分解斜視図
【図３】同上の締付部材の（ａ）パネルへの挿入状態を示す縦断側面図、（ｂ）移動部材との結合状態を示す縦断側面図
【図４】同上のパネルの壁面への取付過程を示す全体斜視図
【図５】同上の固定部材への移動部材の嵌込過程を示す縦断側面図
【図６】同上のパネルの挟圧過程を示す縦断側面図
【図７】同上のパネルの壁面への取付状態を示す斜視図
【図８】この発明の第２実施形態に係るパネル取付具による壁面へのパネル取付状態を示す全体斜視図
【図９】同上の分解斜視図
【図１０】同上のパネルの挟圧過程を示す縦断側面図
【図１１】同上のパネルの壁面への取付状態を示す斜視図
【図１２】従来のパネル取付具による壁面へのパネル取付過程を示す斜視図
【図１３】同上のパネル取付状態を示す斜視図
【発明を実施するための形態】
【００１６】
この発明に係るパネル取付具の第１実施形態を図１乃至図７に基づいて説明する。
【００１７】
図１に示すように、このパネル取付具は、パネルＰを壁面Ｗに取り付けるために使用するものであり、亜鉛ダイキャストや真鍮等の金属製の固定部材１と締付部材２とを備えたものとされている。パネルＰの壁面Ｗへの取り付けに際しては、通常、四隅部分を壁面Ｗに固定するため、４個のパネル取付具が使用される。なお、以下の方向表記は、パネルＰの前面を見る視点側を前方とし、壁面Ｗ側を後方とする。
【００１８】
図２に示すように、固定部材１は、円筒状の周壁１１の後部に端壁１２を有する形状とされ、端壁１２の中央部には、壁面Ｗに固定する際、タッピングねじ４１を挿通する貫通穴１３が形成されている。周壁１１には、外周面から内部空間に連通する横ねじ穴１４が形成され、横ねじ穴１４には、頭部のない六角穴付きの横ビス４２がねじ込まれる。
【００１９】
締付部材２は、固定部材１との間にパネルＰを挟み込む際、パネルＰの前面側に位置する短い円柱状の前鍔部２１を有し、前鍔部２１から後方へ向けて丸棒状のシャンク部２２が延長され、シャンク部２２には、先端側から雄ねじが形成されている。
【００２０】
また、この取付具は、真鍮等の金属製の移動部材３を備えており、移動部材３には、外周に後方から前方へかけて小径となるテーパー面３１が形成されると共に、前後方向のねじ穴３２が形成されている。そして、このねじ穴３２の雌ねじが締付部材２のシャンク部２２の雄ねじに螺合し、締付部材２と移動部材３とは、前後方向に一体として移動するようになっている。
【００２１】
移動部材３の小径端側には、パネルＰを挟持するためのフランジ３３が設けられ、移動部材３の大径端側の外周には、周方向のリング溝３４が形成されて、このリング溝３４にＯリング３５が嵌められている。そして、Ｏリング３５が弾力的に固定部材１の内周面に当接することにより、移動部材３を固定部材１の内部空間に嵌めた状態で、移動部材３のがたつきが防止される。
【００２２】
このようなパネル取付具を使用して、パネルＰを壁面Ｗへ取り付ける際には、現場での作業に先立って、パネルＰの隅部分に、締付部材２のシャンク部２２より大径の貫通穴ｈを穿設しておく。
【００２３】
そして、図３（ａ）に示すように、締付部材２のシャンク部２２を、パッキン４３の中央部に穿設された穴に挿通した後、パネルＰの貫通穴ｈに挿通して、パッキン４３をパネルＰの前面と締付部材２の前鍔部２１との間に介在させる。
【００２４】
次に、図３（ｂ）に示すように、締付部材２のシャンク部２２に、パッキン４３と同様のパッキン４４を嵌め、締付部材２のシャンク部２２の雄ねじに、移動部材３のねじ穴３２の雌ねじを螺合させ、フランジ３３とパネルＰの後面との間にパッキン４４を介在させた状態で、締付部材２と移動部材３とを一体化する。
【００２５】
このとき、締付部材２と移動部材３とは、緩く締めておき、貫通穴ｈの範囲内でシャンク部２２が自由に移動できるようにし、パネルＰに対して締付部材２及び移動部材３をある程度動かせるようにしておく。
【００２６】
このようにして、図４及び図５に示すように、パネルＰの四隅に締付部材２と移動部材３とを取り付け、また、壁面Ｗには、貫通穴１３を介しタッピングねじ４１をねじ込むことにより、固定部材１を取り付けておき、パネルＰの四隅の移動部材３と固定部材１とを対向させ、固定部材１の内部空間へ移動部材３を嵌め入れる。
【００２７】
この作業に際しては、パネルＰに対し締付部材２及び移動部材３を適宜動かして、移動部材３の固定部材１に対する位置を調整することができるので、固定部材１を壁面Ｗにあまり厳密に位置決めして固定しておく必要がない。
【００２８】
また、固定部材１の内部空間へ移動部材３を嵌め入れた段階で、パネルＰに対する締付部材２及び移動部材３の遊びが大きすぎる場合には、Ｏリング３５が固定部材１に対する移動部材３の回転抵抗を付与するので、締付部材２を増し締めして、パネルＰに対する締付部材２及び移動部材３の過剰な遊びを事後的に除去することができる。
【００２９】
そして、図６に示すように、固定部材１の横ねじ穴１４に横ビス４２を六角レンチでねじ込むと、横ビス４２が移動部材３のテーパー面３１に当接しつつ螺進し、移動部材３が締付部材２と共に後方へ移動して、締付部材２の前鍔部２１と固定部材１の前面とでパネルＰが挟圧され、図７に示すように、パネルＰが壁面Ｗに固定される。
【００３０】
このように、上記パネル取付具では、固定部材１の横ねじ穴１４に横ビス４２を六角レンチでねじ込むだけで、特殊な工具等を使用することなく、パネルＰを壁面Ｗに容易に取り付けることができる。
【００３１】
また、横ビス４２のねじ込みに伴い、パネルＰが締付部材２の前鍔部２１と固定部材１の前面とで強力に挟圧されるので、パネルＰの取付状態において、締付部材２を手で緩めて取り外したり、パネルＰを持ち去る等のいたずらを防止することができる。
【００３２】
なお、確実にいたずらを防止するため、固定部材１の周壁１１の外側をスリーブ状のカバーで覆い、横ビス４２をねじ込む際には、カバーに穿設した穴と横ねじ穴１４とを一致させておき、その後、カバーを回転させて、カバーの穴と横ねじ穴１４の位置をずらし、横ねじ穴１４が見えなくなるようにしてもよい。
【００３３】
次に、この発明に係るパネル取付具の第２実施形態を図８乃至図１１に基づいて説明する。なお、ここでは、上記第１実施形態の各部に対応する部材に同一の符号を付し、その詳細な説明を省略する。
【００３４】
図８に示すように、このパネル取付具は、パネルＰに貫通穴を穿設することなく、パネルＰの上下縁部を支持することにより、パネルＰを壁面Ｗに取り付けるものである。
【００３５】
図９に示すように、締付部材２のシャンク部２２には、パネルＰの縁部を支持する平坦な支持面２３が形成され、その後方に位置する立上壁２４と前鍔部２１との間にパネルＰが挟まれるようになっている。支持面２３は、前後方向の彫溝２５を有し、立上壁２４の貫通穴からに彫溝２５にかけて雌ねじが形成されている。
【００３６】
移動部材３は、テーパー面３１の小径端から前方へ延びる丸棒状の結軸部３６を有し、結軸部３６には雄ねじが形成されている。
【００３７】
このようなパネル取付具を使用して、パネルＰを壁面Ｗに取り付ける際には、締付部材２において、前鍔部２１の後面と立上壁２４の前面とにそれぞれ沿うように、シャンク部２２の部分を切り欠いたパッキン４３，４４を嵌める。
【００３８】
次に、移動部材３の結軸部３６の雄ねじを、締付部材２の立上壁２４の貫通穴から彫溝２５に至る雌ねじに螺合させ、パッキン４３，４４の間にパネルＰを挿入し、パネルＰの縁部をシャンク部２２の支持面２３に沿わせる。
【００３９】
そして、図１０に示すように、固定部材１の横ねじ穴１４に横ビス４２をねじ込むと、横ビス４２が移動部材３のテーパー面３１に当接し、横ビス４２の螺進に伴い、締付部材２と移動部材３とが一体に移動し、図１１に示すように、締付部材２の前鍔部２１と固定部材１の前面とでパネルＰが挟圧され、パネルＰが壁面Ｗに固定される。
【００４０】
ところで、上記実施形態に係る図面では、透明な２枚のパネルＰの間にポスター等の掲示物を挟み込んだものを壁面Ｗに取り付ける場合について例示しているが、会社や店舗の名称、図柄等が印刷された１枚のパネルＰを壁面Ｗに取り付ける場合についても同様である。また、パネルＰの四隅を壁面Ｗに固定する場合について例示しているが、パネルＰの一部のみを固定する場合についても同様である。また、壁面Ｗとして、建物の壁面を例示しているが、柱や建具の表面等を壁面としてパネルＰを固定する場合も同様である。
【００４１】
また、上記各実施形態では、固定部材１及び締付部材２の外周形状が円筒状のものについて例示したが、固定部材１及び締付部材２の外周形状は、四角筒状、六角筒状、八角筒状等、様々な形状とすることができる。また、固定部材１、締付部材２及び移動部材３の材質が金属であるものを例示したが、プラスチックを材料として、これらを形成することもできる。
【符号の説明】
【００４２】
Ｗ  壁面
Ｐ  パネル
ｈ  貫通穴
１  固定部材
２  締付部材
３  移動部材
１１  周壁
１２  端壁
１３  貫通穴
１４  横ねじ穴
２１  前鍔部
２２  シャンク部
２３  支持面
２４  立上壁
２５  彫溝
３１  テーパー面
３２  ねじ穴
３３  フランジ
３４  リング溝
３５  Ｏリング
３６  結軸部
４１  タッピングねじ
４２  横ビス
４３，４４  パッキン
【図１】
2014224901.tif 000003
【図２】
2014224901.tif 000004
【図３】
2014224901.tif 000005
【図４】
2014224901.tif 000006
【図５】
2014224901.tif 000007
【図６】
2014224901.tif 000008
【図７】
2014224901.tif 000009
【図８】
2014224901.tif 000010
【図９】
2014224901.tif 000011
【図１０】
2014224901.tif 000012
【図１１】
2014224901.tif 000013
【図１２】
2014224901.tif 000014
【図１３】
2014224901.tif 000015